(57)【要約】【課題】  スキャナ、プリンタ、ＰＣを、より簡単に接続し得る画像処理システムを提供する。【解決手段】  スキャナ１に、プリンタ用ポート７−１と、ＰＣ用ポート７−２とを備え、プリンタ２をプリンタ用ポート７−１に接続し、ＰＣ３をＬＡＮ６より、ＰＣ用ポート７−２に接続している。スキャナ１にＰＣ用ポート７−２よりデータが入力されると、データのヘッダ中の宛先情報が自身である場合には、スキャナ１はデータを内部に取り込む。宛先情報が内部に記憶してあるプリンタ２のＭＡＣアドレスと一致した場合は、プリンタ用ポート７−１を介して、そのデータをプリンタ２に出力する。ＰＣ用ポート７−２より入力されたデータの宛先情報が自身（スキャナ１）でもなく、プリンタ２でもない場合は、データを破棄する。【選択図】      図１
2006148947.tif 000002
【特許請求の範囲】
【請求項１】
原稿画像を読み取って得た画像情報をネットワークを介して出力可能なスキャナ装置と、外部装置から入力した画像情報を可視的に出力する画像出力装置と、スキャナ装置から画像情報を入力可能であるとともに、画像出力装置に対して画像情報を出力可能な外部装置としての情報処理装置とが、それぞれ共通のプロトコルでデータ交換可能にネットワーク接続されてなる画像処理システムであって、
前記スキャナ装置は、前記画像出力装置を接続するためのポートと、前記情報処理装置を接続するためのポートと、前記画像出力装置用ポート又は前記情報処理装置用ポートから入力されたデータの宛先情報を解析し、その宛先情報に基づいてポート間の接続切り替えを制御する制御手段とを備え、
前記制御手段は、前記画像出力装置用ポートに接続されている画像出力装置の宛先情報に関連付けて「記憶されていない」、「記憶されている」の状態を持ち、初期は「記憶されていない」状態であり、画像出力装置用ポートにデータを出力し、所定時間内に画像出力装置から受信確認応答に相当するデータが画像出力装置用ポートに入力された場合に「記憶されている」状態となるものであることを特徴とする画像処理システム。
【請求項２】
画像読取部で原稿画像を読み取って得た画像情報をネットワークを介して出力可能な画像読取装置であって、
外部装置から入力した画像情報を可視的に出力する画像出力装置を接続するためのポートと、当該画像読取装置から画像情報を入力可能であるとともに、画像出力装置に対して画像情報を出力可能な情報処理装置を接続するためのポートと、共通のプロトコルにより、画像出力装置及び情報処理装置との間でデータ交換を行うデータ交換機能と、前記画像出力装置用ポート又は前記情報処理装置用ポートから入力されたデータの宛先情報を解析し、その宛先情報に基づいてポート間の接続切り替えを制御する制御手段とを備え、
前記制御手段は、前記画像出力装置用ポートに接続されている画像出力装置の宛先情報に関連付けて「記憶されていない」、「記憶されている」の状態を持ち、初期は「記憶されていない」状態であり、画像出力装置用ポートにデータを出力し、所定時間内に画像出力装置から受信確認応答に相当するデータが画像出力装置用ポートに入力された場合に「記憶されている」状態となるものであることを特徴とする画像読取装置。
【請求項３】
前記制御手段は、自分自身の宛先情報を記憶する手段を備え、画像出力装置用ポートに入力されたデータに含まれる宛先情報が自身であるか、それ以外であるかを判断する手段と、前記宛先情報が自身である場合に、そのデータを内部に取り込み、自身以外の場合に、そのデータを情報処理装置用ポートに出力する手段を含むことを特徴とする請求項２記載の画像読取装置。
【請求項４】
前記制御手段は、前記画像出力装置の宛先情報を記憶する手段と、情報処理装置用ポートに入力されたデータに含まれる宛先情報が自身であるか、画像出力装置であるか、それ以外であるかを判断し、自身の場合に前記情報処理装置用ポートに入力されたデータを内部に取り込み、画像出力装置の場合に前記情報処理装置用ポートに入力されたデータを画像出力装置に送信し、それ以外の場合は、前記情報処理装置用ポートに入力されたデータを破棄する手段を含むことを特徴とする請求項２又は請求項３記載の画像読取装置。
【請求項５】
前記情報処理装置用ポートに入力されたデータを一時的に記憶するバッファを備え、その入力データに含まれる宛先情報が画像出力装置の場合、前記画像出力装置用ポートに前記バッファのデータを出力するとともに、画像出力装置用ポートに前記バッファのデータを正常受信した旨のデータを受信した後に、前記バッファのデータを破棄する手段を備えることを特徴とする請求項４記載の画像読取装置。
【請求項６】
前記制御手段は、スキャン及び／又は画像出力を許可する宛先情報あるいは許可しない宛先情報を記憶する手段を備え、情報処理装置用ポートからスキャン指示及び／又は画像出力指示が入力された場合、その発信元アドレスを解析し、記憶している宛先情報と比較して、その指示を許可するか否かを判断する手段を含むことを特徴とする請求項２、請求項３、請求項４又は請求項５記載の画像読取装置。
【請求項７】
前記制御手段は、情報処理装置用ポートにデータを出力し、所定時間内に情報処理装置から受信確認応答に相当するデータが情報処理装置用ポートに入力されるか否かに基づいて、情報処理装置用ポート部分の結線状態を切り替える手段を含むことを特徴とする請求項２、請求項３、請求項４、請求項５又は請求項６記載の画像読取装置。
【発明の詳細な説明】
【技術分野】
【０００１】
この発明は、スキャナ装置（画像読取装置）と、プリンタ装置（画像出力装置）と、パーソナルコンピュータ（情報処理装置）とからなる画像処理システム、及び画像読取装置に関する。
【背景技術】
【０００２】
一般に、図８に示すように、スキャナ装置１と、プリンタ装置２とを、ＬＡＮ６を介してＰＣ（パーソナルコンピュータ）３、４、５、……、に接続し、スキャナ装置１で読み取った原稿画像を例えばＰＣ３を介してプリンタ装置２に送り、コピー処理を行う画像処理システムが知られている。また、図９に示すように、画像読取部１０ａと、画像形成部１０ｂと、制御部１０ｃと、ネットワークＩ／Ｆ１０ｄを備える複合機１０と、ＰＣ３、４、５、……、をＬＡＮ６で接続し、例えばＰＣ３からの要求により複合機１０の画像読取部１０ａで読み取った原稿画像をＰＣ３に転送し、あるいはＰＣ３からプリントすべきデータを複合機１０に送り、画像形成部１０ｂでプリントする画像処理システムが知られている（例えば、特許文献１参照）。
【特許文献１】特開２００２−２７８７３６号公報
【発明の開示】
【発明が解決しようとする課題】
【０００３】
上記した従来のスキャナ装置１とプリンタ装置２をＬＡＮ６でＰＣ３、４、５……、に接続する画像処理システムでは、コピー処理する際に、スキャナ装置からプリンタ装置へ直接画像読取データを送信できず、ＰＣを介して送信する必要があり、ＰＣを介するのは、煩わしいという問題がある。
【０００４】
そこで、スキャナ装置、プリンタ装置、ＰＣを全てリピータハブに接続するシステムも考え得るが、リピータハブを使用するため、コピー処理の際には、ネットワークの負荷が増大するという問題がある。
【０００５】
また、特許文献１に示すシステムでは、スキャナ機能、及びプリント機能につき、制御部１０ｃ、及びネットワークＩ／Ｆ１０ｄが共通になっているため、制御部の構成が複雑になるとともに、画像読取部又は画像形成部を簡単に変更できないという問題がある。更に、他のシステムとして、図８のプリンタ装置２をスキャナ装置１を介してＬＡＮ６に接続するものも考えられるが、ＰＣとプリンタ装置との間でデータ交換するために、スキャナでの制御が複雑になるという問題がある。
【０００６】
この発明は上記問題点に着目してなされたものであって、コピー処理の際に、ＰＣを介する必要がなく、かつネットワークの負荷を増大せず、更に制御部の構成を簡単化するとともに、スキャナ又はプリンタを簡単に変更できる画像処理システム及び画像読取装置を提供することを目的としている。
【課題を解決するための手段】
【０００７】
この発明の画像処理システムは、原稿画像を読み取って得た画像情報をネットワークを介して出力可能なスキャナ装置と、外部装置から入力した画像情報を可視的（記録又は表示）に出力する画像出力装置（プリンタ）と、スキャナ装置から画像情報を入力可能であるとともに、画像出力装置に対して画像情報を出力可能な外部装置としての情報処理装置（ＰＣ）とが、それぞれ共通のプロトコルでデータ交換可能にネットワーク接続されてなる画像処理システムであって、前記スキャナ装置は、前記画像出力装置を接続するためのポートと、前記情報処理装置を接続するためのポートと、前記画像出力装置用ポート又は前記情報処理装置用ポートから入力されたデータの宛先情報を解析し、その宛先情報に基づいてポート間の接続切り替えを制御する制御手段とを備え、前記制御手段は、前記画像出力装置用ポートに接続されている画像出力装置の宛先情報に関連付けて「記憶されていない」、「記憶されている」の状態を持ち、初期は「記憶されていない」状態であり、画像出力装置用ポートにデータを出力し、所定時間内に画像出力装置から受信確認応答に相当するデータが画像出力装置用ポートに入力された場合に「記憶されている」状態となるものであることを特徴とする。
【０００８】
この発明の画像読取装置は、画像読取部で原稿画像を読み取って得た画像情報をネットワークを介して出力可能な画像読取装置であって、外部装置から入力した画像情報を可視的（記録又は表示）に出力する画像出力装置（プリンタ）を接続するためのポートと、当該画像読取装置から画像情報を入力可能であるとともに、画像出力装置に対して画像情報を出力可能な情報処理装置（ＰＣ）を接続するためのポートと、共通のプロトコルにより、画像出力装置及び情報処理装置との間でデータ交換を行うデータ交換機能と、前記画像出力装置用ポート又は前記情報処理装置用ポートから入力されたデータの宛先情報を解析し、その宛先情報に基づいてポート間の接続切り替えを制御する制御手段とを備え、前記制御手段は、前記画像出力装置用ポートに接続されている画像出力装置の宛先情報に関連付けて「記憶されていない」、「記憶されている」の状態を持ち、初期は「記憶されていない」状態であり、画像出力装置用ポートにデータを出力し、所定時間内に画像出力装置から受信確認応答に相当するデータが画像出力装置用ポートに入力された場合に「記憶されている」状態となるものであることを特徴とする。
【０００９】
また、この発明の画像読取装置において、前記制御手段は、自分自身の宛先情報を記憶する手段を備え、画像出力装置用ポートに入力されたデータに含まれる宛先情報が自身であるか、それ以外であるかを判断する手段と、前記宛先情報が自身である場合に、そのデータを内部に取り込み、自身以外の場合に、そのデータを情報処理装置用ポートに出力する手段を含むことができる。
【００１０】
また、この発明の画像読取装置において、前記制御手段は、前記画像出力装置の宛先情報を記憶する手段と、情報処理装置用ポートに入力されたデータに含まれる宛先情報が自身であるか、画像出力装置であるか、それ以外であるかを判断し、自身の場合に前記情報処理装置用ポートに入力されたデータを内部に取り込み、画像出力装置の場合に前記情報処理装置用ポートに入力されたデータを画像出力装置に送信し、それ以外の場合は、前記情報処理装置用ポートに入力されたデータを破棄する手段を含むことができる。
【００１１】
また、この発明の画像読取装置において、前記情報処理装置用ポートに入力されたデータを一時的に記憶するバッファを備え、その入力データに含まれる宛先情報が画像出力装置の場合、前記画像出力装置用ポートに前記バッファのデータを出力するとともに、画像出力装置用ポートに前記バッファのデータを正常受信した旨のデータを受信した後に、前記バッファのデータを破棄する手段を備えることができる。
【００１２】
また、この発明の画像読取装置において、前記制御手段は、スキャン及び／又は画像出力を許可する宛先情報あるいは許可しない宛先情報を記憶する手段を備え、情報処理装置用ポートからスキャン指示及び／又は画像出力指示が入力された場合、その発信元アドレスを解析し、記憶している宛先情報と比較して、その指示を許可するか否かを判断する手段を含むことができる。
【００１３】
また、この発明の画像読取装置において、前記制御手段は、情報処理装置用ポートにデータを出力し、所定時間内に情報処理装置から受信確認応答に相当するデータが情報処理装置用ポートに入力されるか否かに基づいて、情報処理装置用ポート部分の結線状態を切り替える手段を含むことができる。
【発明の効果】
【００１４】
この発明によれば、外部装置から入力した画像情報を可視的に出力する画像出力装置を接続するためのポートと、スキャナ装置（画像読取装置）から画像情報を入力可能であるとともに、画像出力装置に対して画像情報を出力可能な情報処理装置を接続するためのポートと、共通のプロトコルにより、画像出力装置及び情報処理装置との間でデータ交換を行うデータ交換機能と、前記ポートから入力されたデータの宛先情報を解析し、その宛先情報に基づいて、ポート間の接続切り替えを制御する制御手段を備えており、スキャナ装置にスイッチングハブ機能を持たせるので、スイッチングハブなどを用いずとも、コピー処理の際、ＰＣを介する必要がなく、コピー処理の際、ネットワークの負荷を増大させない。更にプリンタ、ＰＣとの接続切り替えを簡単に行うことができ、制御部の構成を簡単化するとともに、スキャナ又はプリンタを簡単に変更できる。
【発明を実施するための最良の形態】
【００１５】
以下、実施の形態により、この発明をさらに詳細に説明する。図１は、この発明の一実施形態である画像処理システムの構成を示すブロック図である。この実施形態画像処理システムは、原稿画像を読み取るスキャナ装置１と、プリンタ装置２と、ＰＣ３、４とから構成されている。スキャナ装置１には、プリンタ用のポート７−１とＰＣ接続用（ＬＡＮ用）のポート７−２を備えている。プリンタ装置２は、スキャナ装置１のプリンタ用ポート７−１に接続されている。ＰＣ３（情報処理装置）は、ＬＡＮ６を介して、スキャナ装置１のＰＣ用ポート７−２に接続されている。スキャナ装置１のＰＣ用ポート７−２は、ハブ８の入／出力ポート８ａに接続されている。ＰＣ３、４もハブ８の他の入／出力ポート８ａに、それぞれ接続され、ＬＡＮ６を構成している。スキャナ装置１は、プリンタ用ポート７−１のみ対応する宛先情報（ＭＡＣアドレス）を記憶し、それ以外のポート７−２は対応する宛先情報（ＭＡＣアドレス）を記憶しない。プリンタ装置２、ＰＣ３、４には、各々を示すアドレス情報（ＭＡＣアドレス）が割付けられる。
【００１６】
この実施形態画像処理システムでは、スキャナ装置１とプリンタ装置２間、スキャナ装置１とハブ８間、ハブ８とＰＣ３、４間は、全て共通のプロトコルによりネットワーク（ＬＡＮ）を構成している。また、プリンタ装置２はスキャナ装置１のみに直接接続され、ハブ８とＰＣ３、４には直接接続されていない。このため、プリンタ装置２には、ＰＣ３、４、あるいはハブ８を接続するためのポートが不要であり、またハブ８のポート数も少なくできる。
【００１７】
スキャナ装置１は、図２に示すように、画像読取部１１と、操作部１２と、表示部１３と、ＭＰＵ１４と、ＲＯＭ１５と、ＲＡＭ１６と、ネットワークＩ／Ｆ１７とを備えている。画像読取部１１は、後に詳述するがカラー原稿画像を読み取り、画像データとして取り込む。操作部１２は、コピーキー、テンキー、その他の操作キーを備え、種々の指令を入力する。表示部１３は、操作手順や種々のメッセージ、データを表示する。ＭＰＵ１４は、ＲＯＭ１５に記憶するプログラムに従い、画像読み取りのための種々の制御処理動作を実行する。ＲＯＭ１５は、ＭＰＵ１４用のプログラムを格納している。ＲＡＭ１６は画像読み取りのための一時的なバッファデータや画像データを記憶する。ネットワークＩ／Ｆ１７は、ポート７−１、７−２を有し、ここを通じて他のネットワーク機器と指令、データの授受を行う。
【００１８】
また、上記図１ではスキャナ装置１に、１個のプリンタ専用ポート７−１を設けているが、これを複数設け、スキャナ装置１に複数台のプリンタ装置が直接的に接続される構成とすることもできる。
【００１９】
スキャナ装置１は、各ポート７−１、７−２に入力された電気信号（アナログ信号）をデジタル信号に変換し、宛先情報を解析し、そのデータを内部に取り込むか、所定の出力ポートを選択し、電気信号として出力するかを制御する。このように、スキャナ装置１は、ＰＣ３、４からのデータについて宛先の解析は行うが、要求内容の解析は行わないため、例えばネットワークプリント時、ＰＣからのプリンタステータス情報の要求に対して、自分が保持しているステータス情報を返信する必要がない。
【００２０】
また、スキャナ装置１は、定期的に又は所定の操作（コピー開始指示）が行われた際、プリンタ装置２に対してステータス情報の送信を要求する旨のデータを送信する。すなわち、プリンタ装置２のステータスを監視している。ステータス情報とは、現像材（トナー等）及び／又は記録用紙の状態を示す情報である。
【００２１】
スキャナ装置１のポート７−１、７−２から入力されるデータには、送信元のアドレス情報と宛先のアドレス情報が含まれる。スキャナ装置１のポートにデータが入力されると、図３、図４、図５のフロー図に示す処理を実行する。図３は、プリンタ用ポート７−１にデータが入力された場合の処理を示すフロー図である。図３のルーチンに入ると、ステップＳＴ１において、プリンタ用ポート７−１にデータが入力されたか否か判定する。プリンタ用ポート７−１へのデータ入力がなされた場合は、ステップＳＴ２へ移行する。ステップＳＴ２においては、入力されたパケットデータのヘッダを解析し、宛先情報がスキャナ、つまり自身であるか否かを判断する。自身である場合は、ステップＳＴ３へ移行する。一方、自身でない場合は、ステップＳＴ４へ移行する。ステップＳＴ３においては、そのデータをスキャナ装置１内部に取り込み、ＰＣ用ポート７−２には送出しない。ステップＳＴ４においては、そのデータをＰＣ用ポート７−２に送出し、スキャナ装置１内部には取り込まない。
【００２２】
ここでは、スキャナ装置１のポート７−１、７−２において、通常のスイッチングハブのように、宛先情報とポートとの対応関係を示すテーブルを持つのではなく、宛先情報がスキャナであるか、それ以外かを判断するのみである。スキャナ以外の宛先情報の場合に、その宛先情報がどの機器であるかは認識しない。このようにすることにより、ＰＣポートに接続されている機器のアドレスを記憶する必要がなく、構成及び制御が簡単となる。
【００２３】
図４、図５は、ＰＣ用ポート７−２にデータが入力された場合の処理を示すフロー図である。図４に示すルーチンに入ると、ステップＳＴ１１において、ＰＣ用ポート７−２へデータが入力されたか否か判定する。ＰＣ用ポート７−２へのデータの入力が判断されると、ステップＳＴ１２へ移行し、入力されたそのデータをＲＡＭ１６のバッファメモリに一時的に記憶する。
【００２４】
次に、ステップＳＴ１３へ移行する。ステップＳＴ１３においては、データに含まれる宛先情報が自分自身か否かを判定する。自分自身の場合は、ステップＳＴ１４へ移行する。一方、自身でない場合は、ステップＳＴ１５へ移行する。ステップＳＴ１４においては、データをスキャナ装置１内部に取り込む。
【００２５】
ステップＳＴ１５においては、ポートに接続されているプリンタのアドレスを記憶しているか否かを判定する。接続されているプリンタ装置のアドレスを記憶している場合には、ステップＳＴ１６へ移行する。一方、接続されているプリンタ装置のアドレスが記憶されていない場合は、ステップＳＴ２２（図５）へ移行する。
【００２６】
ステップＳＴ１６においては、宛先情報がプリンタ装置２か判定し、宛先情報がプリンタ装置２の場合に、ステップＳＴ１７へ移行し、そのデータをプリンタ用ポート７−１に出力する。次に、ステップＳＴ１８へ移行し、プリンタ装置２データの衝突が検出されたか否か判定する。データの衝突が検出された場合は、ステップＳＴ１７へ戻る。一方、データの衝突が検出されない場合は、ステップＳＴ１９へ移行する。ステップＳＴ１９においては、正しく通信ができたか否かを判定する。正常に通信した場合、ステップＳＴ２１へ移行し、バッファメモリに記憶していたデータを破棄する。正しく通信ができていない場合は、ステップＳＴ２０へ移行する。ステップＳＴ２０においては、プリンタ装置２のアドレス（宛先情報）が記憶されていることの有無を記憶するメモリに「記憶されていない」を記憶する。
【００２７】
ステップＳＴ２２においては、プリンタ用ポート７−１にデータを出力する。そして、ステップＳＴ２３へ移行する。ステップＳＴ２３においては、データの衝突が検出されたか否かを判定する。データの衝突が検出されれば、ステップＳＴ２２へ戻る。一方、データの衝突がなければ、ステップＳＴ２４へ移行する。ステップＳＴ２４においては、正しく通信ができたか否か判定する。正しく通信できれば、ステップＳＴ２５へ移行する。そして、ステップＳＴ２５においては、宛先情報が記憶されていることの有無を記憶するメモリに「記憶されている」を記憶する。一方、正しく通信ができなければ、処理を終了する。
【００２８】
また、スキャナ装置１には、更に、スキャン及び／又はプリントを許可する宛先情報、あるいは許可しない宛先情報を記憶するメモリを備えておき、図６に示す処理を実行しても良い。ここでは、ステップＳＴ３１において、ＰＣ用ポート７−２からスキャン指示又はプリント指示が入力されたか否か判定する。スキャン指示又はプリント指示のいずれが入力されていると、ステップＳＴ３２へ移行する。ステップＳＴ３２においては、入力されたデータのヘッダに含まれる発信元アドレスを解析する。続いて、ステップＳＴ３３へ移行する。ステップＳＴ３３においては、発信元アドレスが記憶している許可宛先情報があるか否かを判定する。許可宛先情報であれば、ステップＳＴ３４へ移行する。一方、許可宛先情報でない場合は、ステップＳＴ３５へ移行する。ステップＳＴ３４では、入力された指示を許可する。ステップＳＴ３５では、入力された指示を不許可とする。
【００２９】
また、他の実施形態として、スキャナ装置１にＰＣ用ポート７−２のポート結線切替機能を持たせても良い。この機能を持たせた場合の処理を図７のフロー図を参照して説明する。この処理ルーチンに入ると、ステップＳＴ４１において、ＰＣ用ポート７−２にデータを出力する。次に、ステップＳＴ４２へ移行する。ステップＳＴ４２においては、データの衝突が検出されたか否かを判定する。データの衝突がない場合に、ステップＳＴ４３へ移行する。ステップＳＴ４３においては、正しく通信できたか否か判定する。正しく通信できた場合は、ステップＳＴ４２へ移行する。一方、正しく通信できない場合は、ステップＳＴ４４へ移行する。ステップＳＴ４４においては、ポート部分の結線状態を切り替える。このポート部分の結線状態の切替は、例えば送信用の信号線と受信用の信号線の切り替えである。この場合、ＰＣ用ポート７−２にハブが接続される場合（複数のＰＣが接続される場合）と、ＰＣが接続される場合（１台のＰＣが接続される場合）とで、クロスケーブルとストレートケーブルとを使い分ける必要がない。
【００３０】
なお、上記実施形態画像処理システムでは、スキャナ装置１、プリンタ装置２、ＰＣ３間でのデータ送受信は、全てパケット交換で行う。スキャナ装置１では、１つのパケットデータを全て一旦蓄積した後、宛先に対して出力するので、各ポート間での通信速度が異なる場合でも問題が発生することはない。すなわち、各ポートの通信速度（スキャナ装置１とプリンタ装置２間の速度、スキャナ装置１とＰＣ３間の速度）に規制されずに、転送が行える。
【００３１】
また、上記実施形態において、宛先情報はＭＡＣアドレス以外で、スキャナ装置やプリンタ装置を示す情報であっても良い。
【００３２】
また、スキャナ装置１にプリンタ装置２を接続するためのポートを複数設けた場合、一部のポートをカラー用、残りのポートをモノクロ用とし、カラー用ポートにカラープリンタ装置、モノクロ用ポートにモノクロプリンタ装置を接続することができる。その場合、宛先情報として、各ポートに対応してプリンタ装置の属性（カラー用かモノクロ用か）を記憶し、ＰＣから受信したデータに記述されている属性を解析して、出力先ポートを選択することができる。
【図面の簡単な説明】
【００３３】
【図１】この発明の一実施形態である画像処理システムの構成を示すブロック図である。
【図２】同画像処理システムのスキャナの概略構成を示すブロック図である。
【図３】同実施形態画像処理システムのスキャナの一処理例を説明するためのフロー図である。
【図４】同スキャナの他の処理例を説明するためのフロー図である。
【図５】図４とともに、同スキャナの更に他の処理例を説明するためのフロー図である。
【図６】同スキャナの更に他の処理例を説明するためのフロー図である。
【図７】同スキャナの更に他の処理例を説明するためのフロー図である。
【図８】従来の画像処理システムの一般的な構成を示すブロック図である。
【図９】従来の他の画像処理システムの構成を示すブロック図である。
【符号の説明】
【００３４】
１        スキャナ装置
２        プリンタ装置
３、４    ＰＣ
６        ＬＡＮ
７−１    プリンタ用ポート
７−２    ＰＣ用ポート
８        ハブ
１１      画像読取部
１２      操作部
１３      表示部
１４      ＭＰＵ
１５      ＲＯＭ
１６      ＲＡＭ
１７      ネットワークＩ／Ｆ
【図１】
2006148947.tif 000003
【図２】
2006148947.tif 000004
【図３】
2006148947.tif 000005
【図４】
2006148947.tif 000006
【図５】
2006148947.tif 000007
【図６】
2006148947.tif 000008
【図７】
2006148947.tif 000009
【図８】
2006148947.tif 000010
【図９】
2006148947.tif 000011